(57)【要約】【課題】遊技機の基板ケース構造であって、正規な電子部品を実装した制御基板を収納している基板ケースが外されて、改造電子部品を実装した制御基板を収納している不正基板ケースと付け替えられることを防止する。【解決手段】取付ベース（ＵＰＢ）とケース本体（１１）は同じ位置に締付ねじの挿通孔（２１ａ、１１ａ）が設けられ、制御基板（１３）は取付ベース（ＵＰＢ）とケース本体（１１）の挿通孔（２１ａ、１１ａ）と同じ位置に雌ねじ（１３ａ）が一体的に設けられ、締付ねじ（１５）が、取付ベース（ＵＰＢ）の遊技機の前面側から取付ベース（ＵＰＢ）とケース本体（１１）の挿通孔（２１ａ、１１ａ）に挿通されて、制御基板（１３）の雌ねじ（１３ａ）と螺合、緊結される。【選択図】図４
2007267883.tif 000002
【特許請求の範囲】
【請求項１】
遊技に関する電子部品が実装された制御基板を収納し、締付ねじによって遊技機の取付ベースに取り付けられるケース本体と、該ケース本体に取り付けられるケースカバーとを備える、遊技機の基板ケース構造であって、前記取付ベースとケース本体は同じ位置に前記締付ねじの挿通孔が設けられ、前記制御基板は前記取付ベースとケース本体の挿通孔と同じ位置に雌ねじが一体的に設けられ、前記締付ねじが、前記取付ベースの遊技機の前面側から前記取付ベースとケース本体の挿通孔に挿通されて、前記制御基板の雌ねじと螺合、緊結され、前記ケース本体が前記制御基板と共に取付ベースに取り付けられていることを特徴とする遊技機の基板ケース構造。
【請求項２】
前記制御基板上に設けた雌ねじが、前記制御基板の面上に鍔を有する鍔付きナットであることを特徴とする請求項１に記載の遊技機の基板ケース構造。
【請求項３】
前記鍔付きナットが、スルーホールナットであることを特徴とする請求項２に記載の遊技機の基板ケース構造。
【請求項４】
前記遊技機がスロットマシンであり、前記取付ベースが、上部パネルベースであることを特徴とする請求項１乃至請求項３何れかに記載の遊技機の基板ケース構造。
【発明の詳細な説明】
【技術分野】
【０００１】
本発明は、スロットマシンやパチンコ機などに用いて好適な、遊技機の基板ケース構造に関する。
【背景技術】
【０００２】
スロットマシンやパチンコ機などの遊技機の筐体内には、遊技機の作動を制御する制御基板が設けられている。例えば、スロットマシンでは、その筐体内に、ＣＰＵ、ＲＯＭ、ＲＡＭなどの電子部品が実装された主制御基板が取り付けられ、主制御基板により、賞球やメダルの払出、電動役物の開閉、リールの回転、図柄組み合わせの発生確率などを制御している。また、本体筐体に開閉可能に取り付けられる前面パネル筐体内には、主制御基板からの信号を受ける電子部品が実装された副制御基板が取り付けられ、この副制御基板は、演出用スピーカ、演出用ランプなどの演出表示装置を制御している。主制御基板や副制御基板は各々、基板ケースに収納されている。基板ケースは、ケース本体とこのケース本体に蓋をするケースカバーからなっている。そして、正規な電子部品を実装した制御基板を収納している基板ケースは、締付ねじで遊技機の取付ベースに取り付けられた後、さらに締付ねじが「かしめ」られている。また、ＣＰＵ、ＲＯＭ、ＲＡＭなどの制御基板上の電子部品が、改造電子部品に差し替えられるような不正行為を防止するため、またケースカバーが不正に開かないように、さらにケースカバーが不正に開かれた場合はその痕跡が残るように、特殊ねじや封印シールで封印されている（例えば、特許文献１参照）。
【０００３】
【特許文献１】特開２０００−１４９０７号公報
【発明の開示】
【発明が解決しようとする課題】
【０００４】
しかしながら、特許文献１に提案された技術によっても、「かしめ」た締付ねじを千切って、正規な電子部品を実装した制御基板を収納している基板ケースが外され、改造電子部品を実装した制御基板を収納している不正基板ケースと付け替えられることがある。このようなことがあると、不正に賞球やメダルの払い出しがされ、遊技店は多くの損失を被ることになる。
【０００５】
本発明は上記課題に鑑みてなされたものであり、遊技に関する電子部品が実装された制御基板を収納し、締付ねじによって遊技機の取付ベースに取り付けられているケース本体と、該ケース本体に取り付けられるケースカバーとを備える、遊技機の基板ケース構造であって、正規な電子部品を実装した制御基板を収納している基板ケースが外され、改造電子部品を実装した制御基板を収納している不正基板ケースと付け替えられることを防止し得る、遊技機の基板ケース構造を提供することを目的とする。
【課題を解決するための手段】
【０００６】
本発明者らは、上記課題について鋭意研究した。その結果、取付ベースとケース本体は同じ位置に締付ねじの挿通孔が設けられ、制御基板は取付ベースとケース本体の挿通孔と同じ位置に雌ねじが一体的に設けられ、締付ねじが、取付ベースの遊技機の前面側から取付ベースとケース本体の挿通孔に挿通されて、制御基板の雌ねじと螺合、緊結することで、上記課題が解決できるとの知見を得、本発明に想到した。
【０００７】
すなわち、本発明は、遊技に関する電子部品が実装された制御基板を収納し、締付ねじによって遊技機の取付ベースに締着されているケース本体と、該ケース本体に取り付けられるケースカバーとを備える、遊技機の基板ケース構造であって、前記取付ベースとケース本体は同じ位置に締付ねじの挿通孔が設けられ、前記制御基板は前記取付ベースとケース本体の挿通孔と同じ位置に雌ねじが一体的に設けられ、前記締付ねじが、前記取付ベースの遊技機の前面側から前記取付ベースとケース本体の挿通孔に挿通されて、前記制御基板の雌ねじと螺合、緊結され、前記ケース本体が前記制御基板と共に取付ベースに取り付けられていることを特徴とする。
【０００８】
本発明において、前記制御基板上に設けた雌ねじが、前記制御基板の面上に鍔を有する鍔付きナットであることが好ましい。また、前記鍔付きナットが、スルーホールナットであることが好ましい。また、前記遊技機がスロットマシンであり、前記取付ベースが、上部パネルベースであることが好ましい。
【発明の効果】
【０００９】
本発明によれば、正規な電子部品を実装した制御基板を収納している基板ケースが外され、改造電子部品を実装した制御基板を収納している不正基板ケースと付け替えられるのが防止される。
【発明を実施するための最良の形態】
【００１０】
以下、実施の形態の一例について、図１乃至図５に基づき詳細に説明する。
図１は、実施の形態の一例のスロットマシンＳＭの外部構造を示す斜視図、図２は、図１のスロットマシンＳＭの内部構造を示す斜視図である。
【００１１】
図１で、スロットマシンＳＭは、箱形形状の本体筐体ＢＸＲと、遊技者に面し、本体筐体ＢＸＲに開閉可能に取り付けられる前面パネル筐体ＢＸＬとを備えている。前面パネル筐体ＢＸＬは、金属製のフレームに硬質プラスチックなどで成形された前面パネルが取り付けられた強固な構造を有し、この前面パネルは、上部パネル部ＵＰＮと中間パネル部ＭＰＮと下部パネル部ＤＰＮとで構成されている。
【００１２】
上部パネル部ＵＰＮには、演出用ランプＬＰと、スピーカＳＰ１が取り付けられる放音部と、クレジット枚数を表示するＬＥＤと大当たりなどを表示するランプ類が実装された中央表示部ＭＤＰが設けられている。
【００１３】
また、中間パネル部ＭＰＮには、略長方形のリール表示窓ＦＷを持つ透明液晶が実装された液晶表示パネルを備えている。液晶表示パネルは、薄膜トランジスタ層が形成されたガラス板などの透明基板と、これに対向する透明な基板間に液晶が封入され、表示面側に光が透過すると、透過した光が外部から視認され、液晶を駆動していなくてもリール表示窓ＦＷを介して回胴リールＲ１、Ｒ２、Ｒ３が視認できるようになっている。中間パネル部ＭＰＮの下端には操作卓ＴＢが設けられ、この操作卓ＴＢには１ゲーム当たりのメダル数を提示するためのベットボタンＢＥＴと、遊技者が遊技用メダルを投入するためのメダル投入部ＭＤと、１ゲームの開始を指示するためのスタートレバーＳＬと、回転中の回胴リールＲ１、Ｒ２、Ｒ３を個別に停止させるための３個のストップボタンＳＴＰが設けられている。
【００１４】
下部パネル部ＤＰＮには、スロットマシンＳＭのゲーム内容に関連した画像が描かれる表示部ＤＰＬと、遊技者の獲得したメダルを払い出すためのメダル払出口ＭＥＸおよび受皿ＴＵと、スピーカＳＰ２が設けられている。
【００１５】
次に、図２により、スロットマシンＳＭの本体筐体ＢＸＲと前面パネル筐体ＢＸＬの内部構造について説明する。図２で、本体筐体ＢＸＲ内には、主電源装置ＰＷＵと、ホッパ装置ＨＰから溢れた遊技用メダルを収容するための補助ホッパ装置ＳＨＰと、前面パネル筐体ＢＸＬ側のリール表示窓ＦＷに対向する３個の回胴リールＲ１、Ｒ２、Ｒ３と、主制御基板（図示せず）を収納した主基板ケースＭＢＣが設けられている。主制御基板には、ＲＯＭなどの電子部品が実装され、スロットマシンＳＭの主な動作を制御している。
【００１６】
前面パネル筐体ＢＸＬ内の上部パネルＵＰＮには、上部パネルベースＵＰＢに、副制御基板（図示せず）を収納した副基板ケースＳＢＣが設けられている。副制御基板には、主制御基板からの信号を受ける電子部品が実装され、演出用スピーカＳＰ１、図１での演出用ランプＬＰなどの演出表示装置を制御している。
【００１７】
前面パネル筐体ＢＸＬ内には、その中間パネルＭＰＮ側に、回胴リールＲ１、Ｒ２、Ｒ３が外部から透視できるように開口した表示部ＦＷが設けられ、下部パネルＤＰＮ側に、投入されたメダルをホッパ装置ＨＰに導入する通路Ｇ１、払い出されるメダルを図１に示すメダル払出口ＭＥＸに導くメダル通路Ｇ２、スピーカＳＰ２などが設けられている。
【００１８】
次に、図３乃至図５に基づき、前面パネル筐体ＢＸＬ内の副基板ケースＳＢＣの構造について説明する。
図３は、図１および図２のスロットマシンＳＭでの、上部パネルＵＰＮの正面側から見た分解斜視図である。図４は、同じく図１および図２のスロットマシンＳＭでの、副基板ケースＳＢＣの背面側から見た分解斜視図である。図５は、同じく図１および図２のスロットマシンＳＭでの、副基板ケースＳＢＣの取り付け状態の断面模式図である。
【００１９】
図３で、上部パネルＵＰＮは、上部パネルベースＵＰＢの前面（図３での左側）に上部パネル枠２２が取り付けられ、この上部パネル枠２２にランプ基板２３ａ、２４ａと飾りレンズ２３ｂ、２４ｂが取り付けられている。また、上部パネルベースＵＰＢの背面（図３での右側）には、副制御基板１３を収納したケース本体１１と、このケース本体１１を覆うケースカバー１２からなる副基板ケースＳＢＣが取り付けられている。
【００２０】
図４および図５で、副基板ケースＳＢＣは、副制御基板１３を位置決め（図示せず）して収納するケース本体１１と、このケース本体１１を覆うケースカバー１２を備え、詳細は後述するが、副基板ケースＳＢＣは、上部パネルベースＵＰＢの前面側から取り付けられている。上部パネルベースＵＰＢとケース本体１１には同じ位置に締付ねじ１５の各挿通孔２１ａ、１１ａが設けられ、副制御基板１３上には上部パネルベースＵＰＢとケース本体１１の挿通孔２１ａ、１１ａと同じ位置に、（株）マックエイト社製の、副制御基板上に鍔１３ｂを持つスルーホールナット１３ａが一体的に設けられている。また、ケース本体１１には、ヒンジ部１１ｅとフック部１１ｆが形成され、ケースカバー１２には、ケース本体１１のヒンジ部１１ｅと係合してケースカバー１２を回動できるようにするヒンジ部１２ｅと、ケース本体１１のフック部１１ｆと係合して覆った後に引っ掛ける突起部１２ｆが形成されている。
【００２１】
そして、上部パネルベースＵＰＢにケース本体１１が仮止めまたは固定（何れも図示せず）され、またケース本体１１に副制御基板１３を仮止めまたは固定（何れも図示せず）された後、締付ねじ１５が、上部パネルベースＵＰＢの前面側から、上部パネルベースＵＰＢの挿通孔２１ａとケース本体１１の挿通孔１１ａに挿通され、副制御基板１３のスルーホールナット１３ａに螺合、緊結されて、上部パネルベースＵＰＢにケース本体１１が取り付けられている。
【００２２】
そして、上部パネルベースＵＰＢの背面にケース本体１１が取り付けられた後、上部パネルベースＵＰＢの前面側の部品が取り付けられている。その後、ケース本体１１がケースカバー１２で覆われ、締付ねじ１６でケース本体１１とケースカバー１２が固定され、さらに特殊キャップ１７で、封印されている。
【００２３】
上述のように、ケース本体１１が、副制御基板１３ごと、上部パネルベースＵＰＢの前面側から取り付けられているので、例え遊技機の裏側から封印を切ってケースカバー１２を外すことはできても、副制御基板１３が外されることはない。したがって、正規な電子部品を実装した副制御基板１３を収納している副基板ケースＳＢＣが外され、改造電子部品を実装した制御基板を収納している不正基板ケースと付け替えられることが防止されている。
【産業上の利用可能性】
【００２４】
以上の実施の形態においては、スロットマシンＳＭについて説明したが、本発明はこれに限定されず、パチンコ機ほかの遊技機、電気料金などのメータ機器その他、本発明の主旨の範囲で適用することが可能である。また、基板ケースも副基板ケースに限らず、主基板ケースも、本発明の主旨の範囲で適用することが可能である。
【図面の簡単な説明】
【００２５】
【図１】実施の形態の一例のスロットマシンＳＭの外部構造を示す斜視図である。
【図２】図１のスロットマシンＳＭの内部構造を示す斜視図である。
【図３】図１および図２のスロットマシンＳＭでの、副基板ケースＳＢＣの取り付け状態の、前面パネル筐体正面側から見た斜視図である。
【図４】図１および図２のスロットマシンＳＭでの、副基板ケースＳＢＣの背面側から見た分解斜視図である。
【図５】図１および図２のスロットマシンＳＭでの、副基板ケースＳＢＣの取り付け状態の断面模式図である。
【符号の説明】
【００２６】
ＢＥＴ：ベットボタン
ＢＸＲ：本体筐体
ＢＸＬ：前面パネル筐体
ＤＰＬ：表示部
ＤＰＮ：下部パネル
ＦＷ：リール表示窓
Ｇ１：通路
ＨＰ：ホッパ装置
ＬＰ：演出用ランプ
ＭＢＣ：主基板ケース
ＭＤ：メダル投入口
ＭＤＰ：中央表示部
ＭＥＸ：メダル払出口
ＭＰＮ：中間パネル
ＰＷＵ：主電源装置
Ｒ１、Ｒ２、Ｒ３：回胴リール
ＳＢＣ：副基板ケース
ＳＨＰ：補助ホッパ装置
ＳＬ：スタートレバー
ＳＭ：スロットマシン
ＳＰ１：スピーカ
ＳＰ２：スピーカ
ＳＴＰ：ストップボタン
ＴＢ：操作卓
ＴＵ：受皿
ＵＰＢ：上部パネルベース
ＵＰＮ：上部パネル
１１：ケース本体
１１ａ：挿通孔
１２：ケースカバー
１２ａ：挿通孔
１３：副制御基板
１３ａ：雌ねじ（スルーホールナット）
１３ｂ：鍔
１５，１６：締付ねじ
１７：特殊キャップ
２１ａ：挿通孔
【図１】
2007267883.tif 000003
【図２】
2007267883.tif 000004
【図３】
2007267883.tif 000005
【図４】
2007267883.tif 000006
【図５】
2007267883.tif 000007